【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
ロードサイドユニット（ＲＳＵ）上での方法であって、
インシデント情報を含むポイントツーマルチポイントブロードキャストを受信することと、ここにおいて、前記インシデント情報は、第１のビークルツーＸ（Ｖ２Ｘ）メッセージからのものである、
前記ポイントツーマルチポイントブロードキャストにおいて受信された前記インシデント情報をブロードキャストすることと、
前記インシデントに関連付けられた情報を含む第２のＶ２Ｘメッセージを受信することと、前記第２のＶ２Ｘメッセージは、ユーザ機器（ＵＥ）から受信され、前記ポイントツーマルチポイントブロードキャストおよび前記第１のＶ２Ｘメッセージの前に生じる、
ネットワークエンティティに前記第２のＶ２Ｘメッセージに含まれる前記インシデントに関連付けられた前記情報を送ることと、
前記第２のＶ２Ｘメッセージに含まれる前記インシデントに関連付けられた前記情報をブロードキャストすることと、
前記ポイントツーマルチポイントブロードキャストから受信された前記インシデント情報をブロードキャストすると、前記第２のＶ２Ｘメッセージに含まれる前記インシデントに関連付けられた前記情報をブロードキャストすることを控えることと
を備える方法。
【請求項２】
前記インシデント情報を含む前記ポイントツーマルチポイントブロードキャストを受信する前に、
前記ユーザ機器（ＵＥ）から前記第２のビークルツーＸ（Ｖ２Ｘ）メッセージを受信することと、
前記第２のＶ２Ｘメッセージに関連付けられた前記インシデント情報をブロードキャストすることと、
前記ポイントツーマルチポイントブロードキャストのための前記ネットワークエンティティに前記第２のＶ２Ｘメッセージに関連付けられた前記インシデント情報を送ることと
をさらに備える、請求項１に記載の方法。
【請求項３】
前記ポイントツーマルチポイントブロードキャストは、マルチメディアブロードキャストマルチキャストサービス（ＭＢＭＳ）ブロードキャストを備える、請求項１または２に記載の方法。
【請求項４】
前記ポイントツーマルチポイントブロードキャストは、単一セルポイントツーマルチポイント（ＳＣ−ＰＴＭ）ブロードキャストを備える、請求項１または２に記載の方法。
【請求項５】
前記第２のＶ２Ｘメッセージに含まれる前記インシデントに関連付けられた前記情報は、バックホール上で前記ネットワークエンティティに送られる、請求項１または２に記載の方法。
【請求項６】
前記受信されたポイントツーマルチポイントブロードキャストに含まれる前記インシデント情報および前記第２のＶ２Ｘメッセージに含まれる前記インシデントに関連付けられた前記情報は、同一である、請求項１または２に記載の方法。
【請求項７】
前記受信されたポイントツーマルチポイントブロードキャストに含まれる前記インシデント情報は、前記第２のＶ２Ｘメッセージに含まれる前記インシデントに関連付けられた前記情報と第３のＶ２Ｘメッセージに関連付けられた情報とを含む、請求項１または２に記載の方法。
【請求項８】
前記第２のＶ２Ｘメッセージは、ＭＢＭＳブロードキャストに同調するためのブートストラッピング情報を含む、請求項１または２に記載の方法。
【請求項９】
ワイヤレス通信のための装置であって、前記装置は、ロードサイドユニット（ＲＳＵ）であり、
メモリと、
前記メモリに結合され、および
インシデント情報を含むポイントツーマルチポイントブロードキャストを受信することと、ここにおいて、前記インシデント情報は、第１のビークルツーＸ（Ｖ２Ｘ）メッセージからのものである、
前記ポイントツーマルチポイントブロードキャストにおいて受信された前記インシデント情報をブロードキャストすることと、
前記インシデントに関連付けられた情報を含む第２のＶ２Ｘメッセージを受信することと、前記Ｖ２Ｘメッセージは、ユーザ機器（ＵＥ）から受信され、前記ポイントツーマルチポイントブロードキャストおよび前記第１のＶ２Ｘメッセージの前に生じる、
ネットワークエンティティに前記第２のＶ２Ｘメッセージに含まれる前記インシデントに関連付けられた前記情報を送ることと、
前記第２のＶ２Ｘメッセージに含まれる前記インシデントに関連付けられた前記情報をブロードキャストすることと、
前記ポイントツーマルチポイントブロードキャストから受信された前記インシデント情報をブロードキャストすると、前記第２のＶ２Ｘメッセージに含まれる前記インシデントに関連付けられた前記情報をブロードキャストすることを控えることと
を行うように構成された、少なくとも１つのプロセッサと、
を備える装置。
【請求項１０】
前記少なくとも１つのプロセッサは、前記インシデント情報を含む前記ポイントツーマルチポイントブロードキャストを受信する前に、
前記ユーザ機器（ＵＥ）から前記第２のビークルツーＸ（Ｖ２Ｘ）メッセージを受信することと、
前記第２のＶ２Ｘメッセージに関連付けられたインシデント情報をブロードキャストすることと、
前記ポイントツーマルチポイントブロードキャストのための前記ネットワークエンティティに前記第２のＶ２Ｘメッセージに関連付けられた前記インシデント情報を送ることと
を行うようにさらに構成された、請求項９に記載の装置。
【請求項１１】
前記ポイントツーマルチポイントブロードキャストは、
マルチメディアブロードキャストマルチキャストサービス（ＭＢＭＳ）ブロードキャスト単一セルポイントツーマルチポイント（ＳＣ−ＰＴＭ）ブロードキャスト
を備える、請求項９または１０に記載の装置。
【請求項１２】
前記少なくとも１つのプロセッサは、バックホール上で前記ネットワークエンティティに、前記第２のＶ２Ｘメッセージに含まれる前記インシデントに関連付けられた前記情報を送るようにさらに構成される、請求項９または１０に記載の装置。
【請求項１３】
前記ポイントツーマルチポイントブロードキャストから受信された前記インシデント情報および前記第２のＶ２Ｘメッセージに含まれる前記インシデントに関連付けられた前記情報は、同一である、請求項９または１０に記載の装置。
【請求項１４】
前記ポイントツーマルチポイントブロードキャストから受信された前記インシデント情報は、前記第２のＶ２Ｘメッセージに含まれる前記インシデントに関連付けられた前記情報と第３のＶ２Ｘメッセージに関連付けられた情報とを含む、請求項９または１０に記載の装置。
【請求項１５】
前記第２のＶ２Ｘメッセージは、ＭＢＭＳブロードキャストに同調するためのブートストラッピング情報を含む、請求項９または１０に記載の装置。
【手続補正２】
【補正対象書類名】明細書
【補正対象項目名】０１４７
【補正方法】変更
【補正の内容】
【０１４７】
[00167]  先の説明は、いかなる当業者であっても、ここで説明された様々な態様を実現することを可能にするように提供される。これらの態様への様々な修正は、当業者には容易に明らかとなり、ここに定義された一般原理は、他の態様に適用され得る。したがって、特許請求の範囲は、本明細書に示された態様に限定されるようには意図されず、特許請求の範囲の文言と一致する全範囲が与えられるべきものであり、ここにおいて、単数形の要素への参照は、具体的にそのように記述されていない限り、「１つ、および１つのみ」を意味するようには意図されず、「１つまたは複数」を意味するように意図される。「例となる（exemplary）」という用語は、ここで、「例、実例、または例証としての役割を果たす」という意味で使用される。「例となる」ものとして本明細書に説明された何れの態様も、必ずしも、他の態様よりも好ましいまたは有利であると解釈されるべきではない。そうではないと具体的に記述されていない限り、「いくつかの」という用語は、１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組み合わせ」のような組み合わせは、Ａ、Ｂ、および／またはＣの任意の組み合わせを含み、複数のＡ、複数のＢ、または複数のＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、および「Ａ、Ｂ、およびＣのうちの１つまたは複数」、および「Ａ、Ｂ、Ｃ、またはそれらの任意の組み合わせ」のような組み合わせは、Ａのみ、Ｂのみ、Ｃのみ、ＡとＢ、ＡとＣ、ＢとＣ、またはＡとＢとＣであり得、ここで、任意のそのような組み合わせは、Ａ、Ｂ、またはＣのうちの１つまたはメンバまたは複数のメンバを含み得る。当業者に知られているか、または後に知られることとなる、本開示全体を通じて説明された様々な態様の要素に対する全ての構造的および機能的な同等物は、参照によってここに明確に組み込まれ、特許請求の範囲によって包含されるように意図される。その上、本明細書で開示されたものはいずれも、このような開示が特許請求の範囲において明記されているかどうかにかかわらず、公衆に献呈されるようには意図されていない。「モジュール」、「メカニズム」、「要素」、「デバイス」などのような用語は、「手段」という用語の代替にはならない可能性がある。そのため、いずれの請求項の要素も、その要素が「〜のための手段」というフレーズを使用して明示的に記載されていない限り、ミーンズプラスファンクションとして解釈されるべきではない。
以下に本願の出願当初の特許請求の範囲に記載された発明を付記する。
［Ｃ１］  ロードサイドユニット（ＲＳＵ）の方法であって、
ユーザ機器（ＵＥ）からビークルツーＸ（Ｖ２Ｘ）メッセージを受信することと、
前記Ｖ２Ｘメッセージに関連付けられた情報をブロードキャストすることと、
ポイントツーマルチポイントブロードキャストのためのネットワークエンティティに前記Ｖ２Ｘメッセージに関連付けられた前記情報を送ることと、
を備える方法。
［Ｃ２］  前記Ｖ２Ｘメッセージに関連付けられた前記情報を含むポイントツーマルチポイントブロードキャストを受信することと、
前記ポイントツーマルチポイントブロードキャストにおいて受信された前記Ｖ２Ｘメッセージに関連付けられた前記情報をブロードキャストすることと、
をさらに備える、Ｃ１に記載の方法。
［Ｃ３］  前記ポイントツーマルチポイントブロードキャストは、マルチメディアブロードキャストマルチキャストサービス（ＭＢＭＳ）ブロードキャストである、Ｃ２に記載の方法。
［Ｃ４］  前記ポイントツーマルチポイントブロードキャストは、単一セルポイントツーマルチポイント（ＳＣ−ＰＴＭ）ブロードキャストである、Ｃ２に記載の方法。
［Ｃ５］  前記Ｖ２Ｘメッセージは、ＭＢＭＳブロードキャストに同調するためのブートストラッピング情報を含む、Ｃ１に記載の方法。
［Ｃ６］  ロードサイドユニット（ＲＳＵ）の方法であって、
第１のビークルツーＸ（Ｖ２Ｘ）メッセージからの情報を含むポイントツーマルチポイントブロードキャストを受信することと、
前記ポイントツーマルチポイントブロードキャストにおいて受信された前記第１のＶ２Ｘメッセージに関連付けられた前記情報をブロードキャストすることと、
を備える方法。
［Ｃ７］  前記ポイントツーマルチポイントブロードキャストは、マルチメディアブロードキャストマルチキャストサービス（ＭＢＭＳ）ブロードキャストを備える、Ｃ６に記載の方法。
［Ｃ８］  前記ポイントツーマルチポイントブロードキャストは、単一セルポイントツーマルチポイント（ＳＣ−ＰＴＭ）ブロードキャストを備える、Ｃ６に記載の方法。
［Ｃ９］  第２のＶ２Ｘメッセージを受信すること、前記第２のＶ２Ｘメッセージは、ユーザ機器（ＵＥ）から受信され、前記ポイントツーマルチポイントブロードキャストおよび前記第１のＶ２Ｘメッセージの前に生じる、と、
ネットワークエンティティに前記第２のＶ２Ｘメッセージに関連付けられた情報を送ることと、
をさらに備え、
ここにおいて、前記受信された第２のＶ２Ｘメッセージは、前記第１のＶ２Ｘメッセージに関連付けられる、
Ｃ６に記載の方法。
［Ｃ１０］  前記第２のＶ２Ｘメッセージに関連付けられた情報をブロードキャストすることと、  前記第１のＶ２Ｘメッセージに関連付けられた前記情報をブロードキャストすると、前記第２のＶ２Ｘメッセージに関連付けられた前記情報をブロードキャストすることを控えることと、
をさらに備える、Ｃ９に記載の方法。
［Ｃ１１］  前記第２のＶ２Ｘメッセージに関連付けられた前記情報は、バックホール上で前記ネットワークエンティティに送られる、Ｃ９に記載の方法。
［Ｃ１２］  前記第１のＶ２Ｘメッセージおよび前記第２のＶ２Ｘメッセージは、インシデント情報を含む、Ｃ９に記載の方法。
［Ｃ１３］  前記第１のＶ２Ｘメッセージおよび前記第２のＶ２Ｘメッセージは、同一である、Ｃ９に記載の方法。
［Ｃ１４］  前記第１のＶ２Ｘメッセージは、前記第２のＶ２Ｘメッセージと第３のＶ２Ｘメッセージに関連付けられた情報とを含む、Ｃ９に記載の方法。
［Ｃ１５］  前記Ｖ２Ｘメッセージは、ＭＢＭＳブロードキャストに同調するためのブートストラッピング情報を含む、Ｃ６に記載の方法。
［Ｃ１６］  ワイヤレス通信のための装置であって、前記装置は、ロードサイドユニット（ＲＳＵ）であり、
メモリと、
前記メモリに結合され、および
ユーザ機器（ＵＥ）からビークルツーＸ（Ｖ２Ｘ）メッセージを受信することと、
前記Ｖ２Ｘメッセージに関連付けられた情報をブロードキャストすることと、
ポイントツーマルチポイントブロードキャストのためのネットワークエンティティに前記Ｖ２Ｘメッセージに関連付けられた前記情報を送ることと、
を行うように構成された、少なくとも１つのプロセッサと、
を備える、装置。
［Ｃ１７］  前記少なくとも１つのプロセッサは、
前記Ｖ２Ｘメッセージに関連付けられた前記情報を含むポイントツーマルチポイントブロードキャストを受信することと、
前記ポイントツーマルチポイントブロードキャストにおいて受信された前記Ｖ２Ｘメッセージに関連付けられた前記情報をブロードキャストすることと、
を行うようにさらに構成される、Ｃ１６に記載の装置。
［Ｃ１８］  前記ポイントツーマルチポイントブロードキャストは、マルチメディアブロードキャストマルチキャストサービス（ＭＢＭＳ）ブロードキャストである、Ｃ１７に記載の装置。
［Ｃ１９］  前記ポイントツーマルチポイントブロードキャストは、単一セルポイントツーマルチポイント（ＳＣ−ＰＴＭ）ブロードキャストである、Ｃ１７に記載の装置。
［Ｃ２０］  前記Ｖ２Ｘメッセージは、ＭＢＭＳブロードキャストに同調するためのブートストラッピング情報を含む、Ｃ１６に記載の装置。
［Ｃ２１］  ワイヤレス通信のための装置であって、前記装置は、ロードサイドユニット（ＲＳＵ）であり、
メモリと、
前記メモリに結合され、および
第１のビークルツーＸ（Ｖ２Ｘ）メッセージからの情報を含むポイントツーマルチポイントブロードキャストを受信することと、
前記ポイントツーマルチポイントブロードキャストにおいて受信された前記第１のＶ２Ｘメッセージに関連付けられた前記情報をブロードキャストすることと、
を行うように構成された、少なくとも１つのプロセッサと、
を備える装置。
［Ｃ２２］  前記ポイントツーマルチポイントブロードキャストは、マルチメディアブロードキャストマルチキャストサービス（ＭＢＭＳ）ブロードキャストを備える、Ｃ２１に記載の装置。
［Ｃ２３］  前記ポイントツーマルチポイントブロードキャストは、単一セルポイントツーマルチポイント（ＳＣ−ＰＴＭ）ブロードキャストを備える、Ｃ２１に記載の装置。
［Ｃ２４］  前記少なくとも１つのプロセッサは、
第２のＶ２Ｘメッセージを受信すること、前記第２のＶ２Ｘメッセージは、ユーザ機器（ＵＥ）から受信され、前記ポイントツーマルチポイントブロードキャストおよび前記第１のＶ２Ｘメッセージの前に生じる、と、
ネットワークエンティティに前記第２のＶ２Ｘメッセージに関連付けられた情報を送ることと、
を行うようにさらに構成され、
ここにおいて、前記受信された第２のＶ２Ｘメッセージは、前記第１のＶ２Ｘメッセージに関連付けられる、
Ｃ２１に記載の装置。
［Ｃ２５］  前記少なくとも１つのプロセッサは、
前記第２のＶ２Ｘメッセージに関連付けられた情報をブロードキャストすることと、  前記第１のＶ２Ｘメッセージに関連付けられた前記情報をブロードキャストすると、前記第２のＶ２Ｘメッセージに関連付けられた前記情報をブロードキャストすることを控えることと、
を行うようにさらに構成される、Ｃ２４に記載の装置。
［Ｃ２６］  前記少なくとも１つのプロセッサは、バックホール上で前記ネットワークエンティティに、前記第２のＶ２Ｘメッセージに関連付けられた前記情報を送るようにさらに構成される、Ｃ２４に記載の装置。
［Ｃ２７］  前記第１のＶ２Ｘメッセージおよび前記第２のＶ２Ｘメッセージは、インシデント情報を含む、Ｃ２４に記載の装置。
［Ｃ２８］  前記第１のＶ２Ｘメッセージおよび前記第２のＶ２Ｘメッセージは、同一である、Ｃ２４に記載の装置。
［Ｃ２９］  前記第１のＶ２Ｘメッセージは、前記第２のＶ２Ｘメッセージと第３のＶ２Ｘメッセージに関連付けられた情報とを含む、Ｃ２４に記載の装置。
［Ｃ３０］  前記Ｖ２Ｘメッセージは、ＭＢＭＳブロードキャストに同調するためのブートストラッピング情報を含む、Ｃ２１に記載の装置。